【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
対象に対してインピーダンス測定を実行する方法であって、
処理システムにおいて、
ａ）実行される１つ以上のインピーダンス測定を決定する工程と、
ｂ）決定したインピーダンス測定に関連した１つ以上の電極配置を決定する工程と、
ｃ）電極配置を表す表現を表示する工程であって、表現は、
ｉ）１組の電極の位置、および、
ｉｉ）処理システムと複数組の電極との間のリード接続、を表す、前記工程と、
ｄ）表示した表現にしたがって電極が配置されたら、インピーダンス測定を実行させる工程と、からなる方法。
【請求項２】
処理システムにおいて、
ａ）表示した配置にしたがって電極が配置されていることを示す入力命令を受信する工程と、
ｂ）受信した入力命令にしたがってインピーダンス測定を実行させる工程と、を含む請求項１に記載の方法。
【請求項３】
表現は各リード接続に対するそれぞれの色指標を含むことと、色指標はそれぞれのリードに対する色を表すことと、を含む請求項１に記載の方法。
【請求項４】
処理システムにおいて、
ａ）一連の測定を決定する工程と、
ｂ）一連の表現を生成する工程と、各表現はそれぞれの測定を実行するためのそれぞれの電極配置を定義することと、を含む請求項１乃至３のいずれか一項に記載の方法。
【請求項５】
各測定は対応する身体区分に対して実行される請求項４に記載の方法。
【請求項６】
ａ）インピーダンス測定種類を決定する工程と、
ｂ）決定したインピーダンス測定種類を用いて、インピーダンス測定プロファイルを決定する工程と、同プロファイルは実行される１つ以上のインピーダンス測定を表すことと
、を含む請求項１乃至５のいずれか一項に記載の方法。
【請求項７】
処理システムにおいて、
ａ）利用可能なインピーダンス測定種類の指標を表示する工程と、
ｂ）オペレータからの入力命令にしたがって、利用可能なインピーダンス測定種類のうちのそれぞれを決定する工程と、を含む請求項６に記載の方法。
【請求項８】
インピーダンス測定種類は、
ａ）心機能に関する１つ以上のパラメータ、
ｂ）浮腫の存在、欠如または程度、
ｃ）身体組成に関する１つ以上のパラメータ、
ｄ）対象の体内総水分量、および、
ｅ）対象の除脂肪体重（ＦＦＭ）、
のうちの１つ以上を決定するためのものである請求項６または７に記載の方法。
【請求項９】
処理システムにおいて、
ａ）１つ以上の測定したインピーダンス値を表すデータを受信する工程と、
ｂ）同１つ以上の測定したインピーダンス値の表現を生成する工程と、を含む請求項１乃至８のいずれか一項に記載の方法。
【請求項１０】
処理システムにおいて、
ａ）選択したインピーダンス測定種類に基づき表現種類を選択する工程と、
ｂ）選択した表現種類にしたがって表現を生成する工程と、を含む請求項９に記載の方法。
【請求項１１】
表現は、
ａ）ウェッセル・プロット、
ａ）アルガン図、
ｂ）インピーダンス値の一覧、
ｃ）リアクタンス対周波数プロット、および、
ｄ）抵抗対周波数プロット、
のうちの１つ以上の形式である請求項９または１０に記載の方法。
【請求項１２】
処理システムにおいて、
ａ）１つ以上の測定したインピーダンス値を表すデータを受信する工程と、
ｂ）同１つ以上の測定したインピーダンス値を処理し、１つ以上のインピーダンスパラメータを決定する工程と、
ｃ）同１つ以上のインピーダンスパラメータの表現を生成する工程と、を含む請求項９乃至１１のいずれか一項に記載の方法。
【請求項１３】
処理システムにおいて、
ａ）選択したインピーダンス測定種類に基づき処理動作を決定する工程と、
ｂ）決定した処理動作にしたがって前記１つ以上の測定したインピーダンス値を処理する工程と、を含む請求項１２に記載の方法。
【請求項１４】
処理システムにおいて、
ａ）対象に関する１つ以上の対象パラメータを決定する工程と、
ｂ）  ｉ）決定した１つ以上の対象パラメータにしたがって、実行されるインピーダンス測定を決定する工程、および、
ｉｉ）決定した１つ以上の対象パラメータにしたがって、１つ以上の測定したイ
ンピーダンス値を処理する工程、のうちの１つ以上と、
を含む請求項１乃至１３のいずれか一項に記載の方法。
【請求項１５】
対象パラメータは、
ａ）ある状態の存在、欠如または程度の指標、
ｂ）介入の指標、
ｃ）ある状態のリスクを有する身体区分の指標、
ｄ）年齢、
ｅ）身長、
ｆ）体重、および、
ｇ）性別
のうちの１つ以上である請求項１４に記載の方法。
【請求項１６】
処理システムにおいて、遠隔データベースから前記１つ以上の対象パラメータを決定する工程を含む請求項１４または１５に記載の方法。
【請求項１７】
処理システムにおいて、
ａ）対象の識別情報を表すユニークな識別子を決定する工程と、
ｂ）同ユニークな識別子を用いて、前記１つ以上の対象パラメータを決定する工程と、を含む請求項１６に記載の方法。
【請求項１８】
処理システムは符号化データを表面から感知するための読取機に接続されていることと、
処理システムにおいて、
ａ）読取機から指標データを受信する工程と、指標データは前記ユニークな識別子を表しており、かつ、対象識別デバイスに対して提供される符号化データを感知することによって決定されることと、
ｂ）指標データを用いて、前記ユニークな識別子を決定する工程と、を含む請求項１６に記載の方法。
【請求項１９】
対象識別デバイスは符号化データの配置されたブレスレットである請求項１８に記載の方法。
【請求項２０】
処理システムにおいて、
ａ）１つ以上の基準の利用可能性を決定する工程と、
ｂ）  ｉ）決定した利用可能性にしたがって、実行させるインピーダンス測定を決定する工程、および、
ｉｉ）決定した利用可能性にしたがって、１つ以上の測定したインピーダンス値を処理する工程、のうちの１つ以上と、
を含む請求項１乃至１９のいずれか一項に記載の方法。
【請求項２１】
電極の配置は等電位理論にしたがって実行され、電極の配置は、
ａ）測定されている肢部上に配置された第１の電流供給電極と、
ｂ）対象の測定されている肢部と同じ側の第２の肢部上の第２の電流供給電極と、
ｃ）測定されている肢部上に配置された第１の電圧電極と、
ｄ）測定されている肢部の反対の側の第３の肢部上に配置された第２の電圧電極と、を含む請求項１に記載の方法。
【請求項２２】
処理システムは監視ユニットに接続されていることと、
処理システムにおいて、
ａ）命令を生成する工程と、
ｂ）監視ユニットに命令を転送する工程と、監視ユニットはインピーダンス測定を実行させる命令に応答することと、を含む請求項１乃至２１のいずれか一項に記載の方法。
【請求項２３】
監視ユニットは、それぞれの身体区分を通じたインピーダンスを測定するように各々適合されている２つ以上のチャネルを備えることと、
処理システムにおいて、各チャネルを用いて、１つ以上のインピーダンス測定を実行させる工程と、を含む請求項２２に記載の方法。
【請求項２４】
監視ユニットはプロセッサを備えることと、
同プロセッサは、
ａ）命令を受信するため、および、
ｂ）命令を用いて、１つ以上のインピーダンス測定を実行させるため、のものであることと、を含む請求項２２または２３に記載の方法。
【請求項２５】
ａ）１つ以上の励起信号を対象に適用させる工程と、
ｂ）対象を通じて測定された１つ以上の電圧信号を決定する工程と、
によってインピーダンス測定を実行させる工程を含む請求項１乃至２４のいずれか一項に記載の方法。
【請求項２６】
１つ以上の励起信号は、
ａ）それぞれの周波数を各々有する複数の電流信号、
ｂ）複数の重ね合わせられた周波数から形成される電流信号、のうちの１つ以上である請求項２５に記載の方法。
【請求項２７】
前記処理システムにおいて、
ａ）１つ以上のインピーダンス測定種類を決定する工程と、
ｂ）一連のインピーダンス測定を表すプロファイルを決定する工程と、
ｃ）前記表現を表示する工程であって、前記表現は、
ｉ）必要な電極配置の指標、および、
ｉｉ）リード接続の指標、を含む、前記工程と、
ｄ）インピーダンス測定を実行させる工程と、
ｅ）一連のインピーダンス測定における続くインピーダンス測定において、リード接続の指標を表示し、前記インピーダンス測定を実行させる工程と、を含む請求項１乃至２６のいずれか一項に記載の方法。
【請求項２８】
対象に対してインピーダンス測定を実行するための装置であって、
ａ）実行される１つ以上のインピーダンス測定を決定する工程と、
ｂ）決定したインピーダンス測定に関連した１つ以上の電極配置を決定する工程と、
ｃ）電極配置を表す表現を表示する工程であって、表現は、
ｉ）１組の電極の位置、および、
ｉｉ）処理システムと複数組の電極との間のリード接続、を表す工程と、
ｄ）表示した表現にしたがって電極が配置されたら、インピーダンス測定を実行させる工程と、を含む方法を実行するための処理システムを備える装置。
【請求項２９】
前記処理システムは、
ａ）１つ以上のインピーダンス測定種類を決定する工程と、
ｂ）一連のインピーダンス測定を表すプロファイルを決定する工程と、
ｃ）前記表現を表示する工程であって、前記表現は、
ｉ）必要な電極配置の指標、および、
ｉｉ）リード接続の指標、を含む、前記工程と、
ｄ）インピーダンス測定を実行させる工程と、
ｅ）一連のインピーダンス測定における続くインピーダンス測定において、リード接続の指標を表示し、前記インピーダンス測定を実行させる工程と、を含む方法を実行するための処理システムである、請求項２８に記載の装置。
【請求項３０】
対象に対してインピーダンス測定を実行する方法であって、
処理システムにおいて、
ａ）実行される１つ以上のインピーダンス測定を決定する測定決定工程と、
ｂ）１つ以上の測定したインピーダンス値を表すデータを受信するデータ受信工程と、
ｃ）同１つ以上の測定したインピーダンス値を処理し、１つ以上のインピーダンスパラメータを決定する値処理工程と、
ｄ）同１つ以上のインピーダンスパラメータの表現を生成する表現生成工程と、
値処理工程および表現生成工程のうちの１つ以上は同１つ以上のインピーダンス測定にしたがって実行されることと、からなる方法。
【請求項３１】
処理システムにおいて、
ａ）選択したインピーダンス測定種類に基づき表現種類を選択する工程と、
ｂ）選択した表現種類にしたがって１つ以上の測定したインピーダンス値の表現を生成する工程と、を含む請求項３０に記載の方法。
【請求項３２】
表現は、
ａ）ウェッセル・プロット、
ｂ）アルガン図、
ｂ）インピーダンス値の一覧、
ｃ）リアクタンス対周波数プロット、および、
ｄ）抵抗対周波数プロット、
のうちの１つ以上の形式である請求項３１に記載の方法。
【請求項３３】
処理システムにおいて、
ａ）選択したインピーダンス測定種類に基づき処理動作を決定する工程と、
ｂ）決定した処理動作にしたがって前記１つ以上の測定したインピーダンス値を処理する工程と、を含む請求項３０乃至３２のいずれか一項に記載の方法。
【請求項３４】
処理システムにおいて、
ａ）対象に関する１つ以上の対象パラメータを決定する工程と、
ｂ）  ｉ）決定した１つ以上の対象パラメータにしたがって、実行されるインピーダンス測定を決定する工程、および、
ｉｉ）決定した１つ以上の対象パラメータにしたがって、前記１つ以上の測定したインピーダンス値を処理する工程、のうちの１つ以上と、
を含む請求項３０乃至３３のいずれか一項に記載の方法。
【請求項３５】
対象パラメータは、
ａ）ある状態の存在、欠如または程度の指標、
ｂ）介入の指標、
ｃ）ある状態のリスクを有する身体区分の指標、
ｄ）年齢、
ｅ）身長、
ｆ）体重、および、
ｇ）性別
のうちの１つ以上である請求項３４に記載の方法。
【請求項３６】
処理システムにおいて、
ａ）１つ以上の基準の利用可能性を決定する工程と、
ｂ）  ｉ）決定した利用可能性にしたがって、実行させるインピーダンス測定を決定する工程、および、
ｉｉ）決定した利用可能性にしたがって、前記１つ以上の測定したインピーダンス値を処理する工程、のうちの１つ以上と、
を含む請求項３０乃至３５のいずれか一項に記載の方法。
【請求項３７】
対象に対してインピーダンス測定を実行するための装置であって、
ａ）実行される１つ以上のインピーダンス測定を決定することと、
ｂ）１つ以上の測定したインピーダンス値を表すデータを受信することと、
ｃ）同１つ以上の測定したインピーダンス値を処理し、１つ以上のインピーダンスパラメータを決定することと、
ｄ）同１つ以上のインピーダンスパラメータの表現を生成することと、
処理することおよび表現を生成することのうちの１つ以上は同１つ以上のインピーダンス測定にしたがって実行されることと、のための処理システムを備える装置。
【請求項３８】
対象に対してインピーダンス測定を実行する方法であって、
処理システムにおいて、
ａ）１つ以上のインピーダンス測定種類を決定する工程と、
ｂ）一連のインピーダンス測定を表すプロファイルを決定する工程と、
ｃ）必要な電極配置を表す表現を表示する工程と、
ｄ）インピーダンス測定を実行させる工程と、からなる方法。
【請求項３９】
処理システムは監視ユニットに接続されていることと、
処理システムにおいて、
ａ）命令を生成する工程と、
ｂ）監視ユニットに命令を転送する工程と、監視ユニットはインピーダンス測定を実行させる命令に応答することと、を含む請求項３８に記載の方法。
【請求項４０】
プロセッサを備える監視ユニットを用いる工程と、
同プロセッサは
ａ）命令を受信するため、および、
ｂ）命令を用いて、１つ以上のインピーダンス測定を実行させるため、のものであることと、を含む請求項３９に記載の方法。
【請求項４１】
ａ）１つ以上の励起信号を対象に適用させる工程、および、
ｂ）対象を通じて測定された１つ以上の電圧信号を決定する工程、
によってインピーダンス測定を実行させる工程を含む請求項４０に記載の方法。
【請求項４２】
１つ以上の励起信号は、
ａ）それぞれの周波数を各々有する複数の電流信号、および、
ｂ）複数の重ね合わせられた周波数から形成される電流信号、
のうちの１つ以上である請求項４１に記載の方法。
【請求項４３】
それぞれの身体区分を通じたインピーダンスを測定するように各々適合されている２つ以上のチャネルを備える監視ユニットを用いる工程と、
処理システムにおいて、各チャネルを用いて、１つ以上のインピーダンス測定を実行さ
せる工程と、を含む請求項３８乃至４２のいずれか一項に記載の方法。
【請求項４４】
各々のチャネルはそれぞれの身体区分を通じたインピーダンスを測定するように適合されていることと、
処理システムにおいて、各チャネルを用いて、１つ以上のインピーダンス測定を実行させる工程と、を含む請求項４３に記載の方法。
【請求項４５】
処理システムにおいて、
ａ）利用可能なインピーダンス測定種類の指標を表示する工程と、
ｂ）オペレータからの入力命令にしたがって、利用可能なインピーダンス測定種類のうちのそれぞれを決定する工程と、を含む請求項３８乃至４４のいずれか一項に記載の方法。
【請求項４６】
インピーダンス測定種類は、
ａ）心機能に関する１つ以上のパラメータ、
ｂ）浮腫の存在、欠如または程度、
ｃ）身体組成に関する１つ以上のパラメータ、
ｄ）対象の体内総水分量、および、
ｅ）対象の除脂肪体重（ＦＦＭ）
のうちの１つ以上を決定するためのものである請求項３８乃至４５のいずれか一項に記載の方法。
【請求項４７】
処理システムにおいて、
ａ）対象に関する１つ以上の対象パラメータを決定する工程と、
ｂ）  ｉ）決定した１つ以上の対象パラメータにしたがって、実行されるインピーダンス測定を決定する工程、および、
ｉｉ）決定した１つ以上の対象パラメータにしたがって、１つ以上の測定したインピーダンス値を処理する工程、のうちの１つ以上と、
を含む請求項３８乃至４６のいずれか一項に記載の方法。
【請求項４８】
対象パラメータは、
ａ）ある状態の存在、欠如または程度の指標、
ｂ）介入の指標、
ｃ）ある状態のリスクを有する身体区分の指標、
ｄ）年齢、
ｅ）身長、
ｆ）体重、および、
ｇ）性別
のうちの１つ以上である請求項４７に記載の方法。
【請求項４９】
処理システムにおいて、遠隔データベースから前記１つ以上の対象パラメータを決定する工程を含む請求項４７または４８に記載の方法。
【請求項５０】
処理システムにおいて、
ａ）対象の識別情報を表すユニークな識別子を決定する工程と、
ｂ）同ユニークな識別子を用いて、前記１つ以上の対象パラメータを決定する工程と、を含む請求項３８乃至４９のいずれか一項に記載の方法。
【請求項５１】
処理システムは符号化データを表面から感知するための読取機に接続されていることと、
処理システムにおいて、
ａ）読取機から指標データを受信する工程と、指標データは前記ユニークな識別子を表しており、かつ、対象識別デバイスに対して提供される符号化データを感知することによって決定されることと、
ｂ）指標データを用いて、前記ユニークな識別子を決定する工程と、を含む請求項５０に記載の方法。
【請求項５２】
対象識別デバイスは符号化データの配置されたブレスレットである請求項５１に記載の方法。
【請求項５３】
対象に対してインピーダンス測定を実行するための装置であって、
ａ）１つ以上のインピーダンス測定種類を決定することと、
ｂ）一連のインピーダンス測定を表すプロファイルを決定する工程と、
ｃ）必要な電極配置を表す表現を表示することと、
ｄ）インピーダンス測定を実行させることと、のための処理システムを備える装置。
【請求項５４】
対象のインピーダンス分析において用いられる処理システムを構成するための方法であって、
処理システムにおいて、
ａ）１つ以上の機能を表す構成データを受信する工程と、
ｂ）構成データを用いて、同１つ以上の機能を表す命令を決定する工程と、
ｃ）少なくとも部分的に同命令を用いて、
ｉ）インピーダンス測定の実行、および、
ｉｉ）インピーダンス測定の分析、のうちの１つ以上を行わせる工程と、からなる方法。
【請求項５５】
構成データは命令を含む請求項５４に記載の方法。
【請求項５６】
処理システムにおいて、
ａ）構成データを用いて、前記１つ以上の機能の指標を決定する工程と、
ｂ）前記１つ以上の機能の指標を用いて、命令を決定する工程と、を含む請求項５４または５５に記載の方法。
【請求項５７】
処理システムにおいて、受信した構成データを解読する工程を含む請求項５４乃至５６のいずれか一項に記載の方法。
【請求項５８】
処理システムにおいて、
ａ）処理システムに関連したデバイス識別子を決定する工程と、
ｂ）同デバイス識別子を用いて、鍵を決定する工程と、
ｃ）同鍵を用いて、受信した構成データを解読する工程と、を含む請求項５７に記載の方法。
【請求項５９】
処理システムは第１の処理システムおよび第２の処理システムを備えることと、
ａ）第１の処理システムにおいて、構成データを用いて、命令を選択する工程と、
ｂ）第２の処理システムにおいて、選択した命令を用いて、制御信号を生成する工程と、を含む請求項５４乃至５８のいずれか一項に記載の方法。
【請求項６０】
処理第１システムにおいて、
ａ）第２の処理システムへ命令を転送する工程と、
ｂ）第２の処理システムに格納部からの命令にアクセスさせる工程と、を含む請求項５
９に記載の方法。
【請求項６１】
処理システムにおいて、コンピュータシステムおよび通信ネットワークのうちの１つ以上から構成データを受信する工程を含む請求項６０に記載の方法。
【請求項６２】
処理システムにおいて、
ａ）ユーザによって選択された機能が利用可能であるか否かを判定する工程と、
ｂ）同機能が利用可能でない場合、同機能を使用可能とすることをユーザが所望するか否かを判定する工程と、
ｃ）同機能を使用可能とすることをユーザが所望する場合、構成データを受信させる工程と、を含む請求項５４乃至６１のいずれか一項に記載の方法。
【請求項６３】
処理システムにおいて、
ａ）ユーザにデバイスプロバイダへ決済を行わせる工程と、
ｂ）決済に応じて構成データを受信する工程と、を含む請求項６２に記載の方法。
【請求項６４】
対象のインピーダンス分析において用いられる処理システムを構成するための装置であって、
ａ）１つ以上の機能を表す構成データを受信することと、
ｂ）構成データを用いて、同１つ以上の機能を表す命令を決定することと、
ｃ）少なくとも部分的に同命令を用いて、
ｉ）インピーダンス測定の実行、および、
ｉｉ）インピーダンス測定の分析、のうちの１つ以上を行わせることと、のための処理システムを備える装置。
【請求項６５】
処理システムは少なくとも部分的に
ａ）終端局、および、
ｂ）測定デバイス、のうちの１つ以上を形成する請求項６４に記載の装置。
【請求項６６】
対象のインピーダンス分析において用いられる処理システムを構成するための方法であって、
コンピュータシステムにおいて、
ａ）処理システムに必要な構成データを決定する工程と、構成データは１つ以上の機能を表すことと、
ｂ）処理システムによって構成データを受信させる工程と、処理システムは構成データに応答して、ｉ）インピーダンス測定の実行、および、ｉｉ）インピーダンス測定の分析のうちの１つ以上を行わせることと、からなる方法。
【請求項６７】
コンピュータシステムにおいて、
ａ）構成される処理システムに関連したデバイス識別子を決定する工程と、
ｂ）デバイス識別子を用いて、ｉ）処理システムへの構成データの転送、および、ｉｉ）構成データの暗号化のうちの１つ以上を行う工程と、を含む請求項６６に記載の方法。
【請求項６８】
コンピュータシステムにおいて、ａ）処理システムのユーザによって行なわれた決済、および、ｂ）機能の承認のうちの１つ以上に応答して、構成データが必要であることを決定する工程を含む請求項６６または６７に記載の方法。
【請求項６９】
コンピュータシステムにおいて、
ａ）１つ以上の領域における前記１つ以上の機能の規制承認を決定する工程と、
ｂ）同１つ以上の領域における１つ以上の処理システムを決定する工程と、
ｃ）同１つ以上の処理システムを構成する工程と、を含む請求項６８に記載の方法。
【請求項７０】
対象のインピーダンス分析において用いられる処理システムを構成するための装置であって、
方法は、
コンピュータシステムにおいて、
ａ）処理システムに必要な構成データを決定する工程と、構成データは１つ以上の機能を表すことと、
ｂ）処理システムによって構成データを受信させる工程と、処理システムは、ｉ）インピーダンス測定の実行、および、ｉｉ）インピーダンス測定の分析のうちの１つ以上を行わせる構成データに応答することと、を含む装置。